(57)【要約】【課題】製造作業性および生産性の向上が図れるとともにコストの低減が図れ操作が容易な電波修正時計を提供する。【解決手段】秒針が０時を指す状態で利用者が竜頭２１２を引き、初期位置の０時を指す指針状態に表示時刻を変更して竜頭２１２を押し込むと、入力操作認識手段４６０が所定の操作として認識する。針位置データ初期化回路４４７が針位置カウンタ４４６のカウンタ値を０時０分０秒の初期値にリセットする。受信手段にて長波標準電波を受信しタイムコードを取得する。水晶発振回路４４３からの発振信号にて分周回路４４４が出力する基準信号に基づいて、時刻データ比較回路４４８がタイムコードから現時刻をカウントし、初期値と比較しカウント値の差を認識する。この差に基づいてパルス制御回路４４５で現時刻に修正させる。【選択図】  図６
2004257977.tif 000002
【特許請求の範囲】
【請求項１】
時刻情報を含む標準電波を受信する受信手段と、
基準信号源からの基準信号に基づいて時刻を計時する計時手段と、
前記時刻を表示する指針と、
前記時刻に基づいて前記指針を運針させる駆動手段と、
前記時刻を記憶する記憶手段と、
所定の入力操作により前記指針により表示される表示時刻を変更可能および変更不可能とする竜頭と、
この竜頭の前記所定の入力操作を認識する入力操作認識手段と、
前記竜頭による前記表示時刻を変更可能な状態から変更不可能な状態へ切り替える所定の入力操作を前記入力操作認識手段にて認識すると、前記記憶手段に所定の時刻を記憶させる設定手段と、
を具備したことを特徴とした電波修正時計。
【請求項２】
請求項１に記載の電波修正時計において、
前記記憶手段に記憶される所定の時刻は、００時００分００秒の指針位置に対応するカウント値である
ことを特徴とした電波修正時計。
【請求項３】
請求項１または請求項２に記載の電波修正時計において、
前記竜頭による前記表示時刻を変更可能な状態から変更不可能な状態とする前記所定の入力操作を前記入力操作認識手段にて認識すると、前記受信手段にて前記標準電波を受信させる制御をする受信制御手段と、
前記受信手段により前記標準電波の受信に成功すると、この受信した前記標準電波に基づく現時刻と前記記憶手段に記憶された所定の時刻との差異状況を認識する比較手段と、
この比較手段にて認識した差異状況に基づいて前記表示時刻を前記現時刻に変更させる時刻修正手段と、を具備した
ことを特徴とした電波修正時計。
【請求項４】
請求項３に記載の電波修正時計において、
前記時刻修正手段は、前記記憶手段に記憶する所定の時刻が前記現時刻と同一となるまで前記駆動手段を駆動させて前記指針を運針させ、前記表示時刻を前記現時刻に変更させる
ことを特徴とした電波修正時計。
【請求項５】
請求項３または請求項４に記載の電波修正時計において、
前記受信制御手段は、前記受信手段にて標準電波を受信する際に、前記駆動手段による運針を停止させる
ことを特徴とした電波修正時計。
【請求項６】
請求項３ないし請求項５のいずれかに記載の電波修正時計において、
前記受信制御手段は、前記受信手段により前記標準電波の受信に失敗した場合、前記駆動手段による運針を停止または停止を継続させる
ことを特徴とした電波修正時計。
【請求項７】
請求項２ないし請求項６のいずれかに記載の電波修正時計において、
前記入力操作認識手段は、前記竜頭による前記表示時刻を変更可能な状態から変更不可能な状態とする所定の入力操作を認識することにより、前記駆動手段による運針を開始させる
ことを特徴とした電波修正時計。
【請求項８】
請求項３ないし請求項５のいずれかに記載の電波修正時計において、
前記受信制御手段は、前記受信手段により前記標準電波の受信に失敗した場合、前記入力操作認識手段にて前記竜頭による前記表示時刻を変更可能な状態から変更不可能な状態とする所定の入力操作を認識することにより、前記駆動手段による運針を開始させるとともに、前記入力操作認識手段にて前記所定の入力操作を再度認識するまで前記受信手段による標準電波の受信を停止させる
ことを特徴とした電波修正時計。
【請求項９】
請求項１ないし請求項３のいずれかに記載の電波修正時計において、
前記記憶手段は、前記時刻を指針位置に対応したカウント値として記憶する針位置カウンタを備え、
前記計時手段は、前記基準信号源から出力される信号に基づいて１Ｈｚのパルス信号を前記針位置カウンタに出力して前記カウント値を１秒分ずつ加算させるパルス制御回路を備え、
前記設定手段は、前記記憶手段に記憶される前記所定の時刻としての指針位置に対応するカウント値にセットさせる針位置データ初期化回路を備え、
前記入力操作認識手段は、前記竜頭による前記表示時刻を変更可能な状態から変更不可能な状態へ切り替える所定の入力操作を認識し、前記針位置データ初期化回路にて前記記憶手段に記憶される前記カウント値にセットさせる竜頭操作認識手段を備えた
ことを特徴とした電波修正時計。
【請求項１０】
請求項３ないし請求項６のいずれかに記載の電波修正時計において、
前記受信手段にて受信した前記標準電波に基づいて受信した時刻に関する情報を記憶する時刻データ記憶回路を具備し、
前記記憶手段は、前記時刻を指針位置に対応したカウント値として記憶する針位置カウンタを備え、
前記計時手段は、前記基準信号源から出力される信号に基づいて１Ｈｚのパルス信号を前記針位置カウンタに出力して前記カウント値を１秒分ずつ加算させるパルス制御回路を備え、
前記比較手段は、前記時刻データ記憶回路に記憶された時刻に対応したカウント値として記憶する現時刻カウンタを備え、この現時刻カウンタのカウント値と前記針位置カウンタのカウント値との時刻差を認識する
ことを特徴とした電波修正時計。
【請求項１１】
請求項１ないし請求項１０のいずれかに記載の電波修正時計において、
前記設定手段は、前記竜頭により前記表示時刻が所定の時刻に変更されて前記表示時刻が変更不可能な状態へ切り替える所定の入力操作を前記入力操作認識手段にて認識すると、前記記憶手段に所定の時刻を記憶させる
ことを特徴とした電波修正時計。
【請求項１２】
計時される時刻が指針により表示される表示時刻を受信した時刻情報を含む標準電波に基づいて修正する電波修正時計の制御方法であって、
前記表示時刻を所定の入力操作により変更可能および変更不可能とする竜頭の変更可能な状態から変更不可能な状態へ切り替える所定の入力操作を認識し、
この所定の入力操作の認識により、前記計時する時刻を所定の時刻に設定する
ことを特徴とする電波修正時計の制御方法。
【請求項１３】
計時される時刻が指針により表示される表示時刻を受信した時刻情報を含む標準電波に基づいて修正する電波修正時計の制御方法であって、
前記表示時刻が竜頭の操作にて所定の時刻に変更されてから前記表示時刻を変更不可能な状態へ切り替える所定の入力操作を認識することにより、前記計時する時刻を所定の時刻に設定する
ことを特徴とする電波修正時計の制御方法。
【発明の詳細な説明】
【０００１】
【発明の属する技術分野】
本発明は、電波修正時計および電波修正時計の制御方法に関する。
【０００２】
【背景技術】
近年、時刻情報を含む電波（長波標準電波）を受信し、その時刻情報で時刻を自動的に修正して表示する電波修正時計が利用されている。特に、従来の電波修正時計は、クロック（置き時計や掛け時計）が中心であったが、近年、携帯型のウオッチ（腕時計など）にも組み込まれるようになっている。
ところで、指針式の電波修正時計においては、例えば指針位置を所定の初期位置、例えば１２時に変更し、初期設定の所定の操作によりカウンタ値を初期値とする。そして、初期値と長波標準電波に基づく時刻情報とを比較し、初期値が時刻情報となるように指針位置を修正している。この初期設定の際の指針の初期位置の設定方法として、各種方法が採られている（例えば、特許文献１参照）。
【０００３】
特許文献１に記載の初期位置を設定する方法は、時分秒針を運針させるための歯車にそれぞれ孔を設け、それぞれの孔が一直線上に位置する状態で時分秒針が１２時を指す状態に構成している。そして、光源と受光センサとを一直線上に位置した孔を光源からの光が通過して受光センサにて検出することで指針位置が１２時であることを認識する構成が採られている。
しかしながら、この特許文献１に記載の構成では、例えばウオッチに使用するような小型で精巧な歯車に孔を設ける作業は極めて煩雑である。また、時分秒針が１２時を指す状態で各歯車の孔が一直線上に位置する状態に孔を設ける作業や組み立てる作業も極めて煩雑である。このことから、製造作業性の向上や生産性の向上、コストの低減などが図れない。さらには、重なり合う歯車の積層方向で光源と受光センサとを対向配置しなければならず、小型化が図れない。また、光源と受光センサとを動作させて指針位置を認識するための構成を動作させる消費電力も別途必要で、電力源として電池を用いるものでは、使用可能時間が短くなるおそれもある。
【０００４】
また、初期位置を設定する方法として、ボタン入力による方法も考えられる。このボタン入力による方法は、所定の１つのボタンを押動操作することによって初期位置の設定をする旨を入力設定する。そして、他の所定のボタンを押動操作してステップモータを駆動させ、時分秒針を所定の指針位置に運針する。この後、さらに他のボタンを押動操作したり初期位置の設定をするためのボタンを所定時間以上押動操作するなどにより時分秒針の初期位置を設定する。
しかしながら、このボタン入力による方法では、複数のボタンが必要で、外観が繁雑となる。例えばストップウォッチ機能やバックライト機能などの各種機能を操作するための他のボタンがある場合などでは、特に外観が繁雑となるとともに、ボタンの配置も困難となり、製造性の向上およびコストの低減が図れない。また、複数のボタンにより、誤操作のおそれもある。特に、機種毎にボタンの配置が異なり、操作方法も異なるおそれがあることから、利用者は誤操作しないように、それぞれの機種毎に操作内容を確認しなければならず、利用が煩雑となるおそれもある。
【０００５】
【特許文献１】
特開平５−２０９９７０号公報（第３頁左欄−第５頁右欄）
【０００６】
【発明が解決しようとする課題】
上述したように、特許文献１に記載のような従来の電波修正時計における初期位置の設定方法では、時分秒針の運針のための歯車に高精度に孔を設けて高精度に組み立てなければならず、製造性の向上およびコストの低減が図れないとともに、構成上の制約により小型化も図れない。さらには、消費電力が増大して使用可能時間の短縮も図れないなどのおそれがある。
また、ボタン入力による方法では、複数のボタンが必要で、製造性の向上およびコストの低減が図れないとともに、誤操作のおそれがある。さらには、外観も繁雑となるおそれがある。
【０００７】
本発明の目的は、このような点に鑑みて、製造作業性および生産性の向上が図れるとともにコストの低減が図れ操作が容易な電波修正時計およびその制御方法を提供することにある。
【０００８】
【課題を解決するための手段】
第１の発明の電波修正時計は、時刻情報を含む標準電波を受信する受信手段と、基準信号源からの基準信号に基づいて時刻を計時する計時手段と、前記時刻を表示する指針と、前記時刻に基づいて前記指針を運針させる駆動手段と、前記時刻を記憶する記憶手段と、所定の入力操作により前記指針により表示される表示時刻を変更可能および変更不可能とする竜頭と、この竜頭の前記所定の入力操作を認識する入力操作認識手段と、前記竜頭による前記表示時刻を変更可能な状態から変更不可能な状態へ切り替える所定の入力操作を前記入力操作認識手段にて認識すると、前記記憶手段に所定の時刻を記憶させる設定手段と、を具備したことを特徴とするものである。
【０００９】
このような本発明では、基準信号源からの基準信号に基づいて計時手段にて計時される時刻について指針により表示される表示時刻を、竜頭により所定の入力操作に対応して変更可能および変更不可能とする。この竜頭による表示時刻の変更可能な状態から変更不可能な状態へ切り替える所定の入力操作を、入力操作認識手段にて認識する。この認識により、設定手段にて時刻を記憶する記憶手段に所定の時刻を記憶させる。
【００１０】
そして、計時する時刻が指針により表示される表示時刻を標準電波に基づいて修正するために、指針状態を認識する必要がある。例えば所定の表示時刻となる指針状態を所定の初期状態とし、この初期状態に対応して初期値を設定することで、指針にて表示される初期状態の表示時刻を現時刻に正しく修正させることが可能となる。この初期状態の設定として、表示時刻を指針による所定の時刻に変更するためなどに操作する一般的に利用される竜頭の所定の入力操作時に、初期状態に対応する初期値を設定する。このことにより、特別な構成を設けることなく容易に表示時刻を初期値に対応する初期状態として認識させて、表示時刻を標準電波に基づく現時刻に修正することが可能となり、製造作業性や生産性の向上およびコストの低減が容易に図れ、表示時刻を変更するためなどの操作で容易に初期状態が設定され、操作性が向上する。
【００１１】
ここで、第１の発明において、前記記憶手段に記憶される所定の時刻は、００時００分００秒の指針位置に対応するカウント値であることが好ましい。
【００１２】
このような構成では、表示時刻を現時刻に修正させる構成として通常利用される００時００分００秒の指針位置に対応するカウント値を用いる構成の流用が図れ、コストの低減が図れる。また、特に竜頭にて変更する表示時刻が容易な例えば０時（１２時）に対応するカウント値を初期値とすることで、さらに操作性が向上する。
【００１３】
また、前記竜頭による前記表示時刻を変更可能な状態から変更不可能な状態とする前記所定の入力操作を前記入力操作認識手段にて認識すると、前記受信手段にて前記標準電波を受信させる制御をする受信制御手段と、前記受信手段により前記標準電波の受信に成功すると、この受信した前記標準電波に基づく現時刻と前記記憶手段に記憶された所定の時刻との差異状況を認識する比較手段と、この比較手段にて認識した差異状況に基づいて前記表示時刻を前記現時刻に変更させる時刻修正手段と、を具備したことが好ましい。
【００１４】
ここで、第１の発明において、前記竜頭による前記表示時刻を変更可能な状態から変更不可能な状態とする前記所定の入力操作を前記入力操作認識手段にて認識すると、前記受信手段にて前記標準電波を受信させる制御をする受信制御手段と、前記入力操作認識手段による前記所定の入力操作の認識により、前記受信した標準電波に基づく現時刻と前記初期値との差異状況を認識する比較手段と、この比較手段にて認識した差異状況に基づいて前記表示時刻を前記現時刻に変更させる時刻修正手段と、を具備したことが好ましい。
【００１５】
このような構成では、表示時刻を変更可能な状態から変更不可能な状態とする竜頭の所定の入力操作を入力操作認識手段にて認識すると、受信制御手段により時刻情報を含む標準電波を受信手段にて受信させる制御をするとともに、受信に成功した標準電波に基づく現時刻と、所定の入力操作にて記憶手段に記憶した所定の時刻との差異状況とを比較手段にて認識する。そして、認識した差異状況に基づいて表示時刻を現時刻に変更させる。このことにより、表示時刻を所定の時刻に対応する指針位置に変更するための竜頭の所定の入力操作に基づいて、標準電波を取得させて現時刻との差異から表示時刻を修正させるので、表示時刻が現時刻に正しく容易に修正される。
【００１６】
そして、前記時刻修正手段は、前記記憶手段に記憶する所定の時刻が前記現時刻と同一となるまで前記駆動手段を駆動させて前記指針を運針させ、前記表示時刻を前記現時刻に変更させることが好ましい。
【００１７】
このような構成では、時刻修正手段により、記憶手段に記憶する所定の時刻が現時刻と同一となるまで駆動手段を駆動させて指針を運針させることで表示時刻を現時刻に変更させる。このことにより、表示時刻を正しく現時刻に修正することが簡単な構成で容易に得られる。
【００１８】
また、前記受信制御手段は、前記受信手段にて標準電波を受信する際に、前記駆動手段による運針を停止させることが好ましい。
【００１９】
このような構成では、受信制御手段により、受信手段にて標準電波を受信させる際に、指針により表示時刻を表示させる駆動手段による指針の運針を停止させる。このことにより、例えばステップモータなどの駆動に伴う磁界発生などにより、運針による受信の妨害を防止し、標準電波の受信が容易となる。
【００２０】
そして、前記受信制御手段は、前記受信手段により前記標準電波の受信に失敗した場合、前記駆動手段による運針を停止または停止を継続させることが好ましい。
【００２１】
このような構成では、受信制御手段により、受信手段による標準電波の受信が失敗した場合、駆動手段による運針を停止または停止を継続させる。このことにより、運針が開始されないので、例えば利用者が受信に失敗したことを認識することが別途構成を用いることなく可能となる。
【００２２】
また、前記入力操作認識手段は、前記竜頭による前記表示時刻を変更可能な状態から変更不可能な状態とする所定の入力操作を認識することにより、前記駆動手段による運針を開始させることが好ましい。
【００２３】
このような構成では、入力操作認識手段により、竜頭による表示時刻を変更可能な状態から変更不可能な状態とする所定の入力操作を認識すると、駆動手段による指針の運針を開始させる。このことにより、表示時刻を現時刻に修正するとともに運針が開始され、修正後に現時刻の表示が継続され、正確な時刻の表示が可能となる。また、例えば標準電波の受信に失敗して表示時刻を現時刻に修正できないような状況となっても、竜頭の入力操作にて表示時刻を現時刻に変更させて所定の入力操作をすることで、その時点から運針が継続されることとなり、時刻の表示ができなくなる不都合も防止される。
【００２４】
さらに、前記受信制御手段は、前記受信手段により前記標準電波の受信に失敗した場合、前記入力操作認識手段にて前記竜頭による前記表示時刻を変更可能な状態から変更不可能な状態とする所定の入力操作を認識することにより、前記駆動手段による運針を開始させるとともに、前記入力操作認識手段にて前記所定の入力操作を再度認識するまで前記受信手段による標準電波の受信を停止させることが好ましい。
【００２５】
このような構成では、受信手段による標準電波の受信に失敗した場合、入力操作認識手段にて竜頭による表示時刻を変更可能な状態から変更不可能な状態とする所定の入力操作を認識することにより、受信制御手段により駆動手段による運針を開始させる。さらに、受信制御手段は、入力操作認識手段にて所定の入力操作を再度認識するまでは受信手段による標準電波の受信を停止させる。このことにより、標準電波の受信に失敗して現時刻を認識できない状態でも時計として機能させることが可能となるとともに、再度の所定の入力操作による指針位置の初期設定が実施されるまでは標準電波の受信を開始させず、指針位置の初期設定が実施されていない状態で標準電波を受信して指針位置を修正させる処理によりさらに指針位置が変更される不都合を防止する。
【００２６】
そして、前記記憶手段は、前記時刻を指針位置に対応したカウント値として記憶する針位置カウンタを備え、前記計時手段は、前記基準信号源から出力される信号に基づいて１Ｈｚのパルス信号を前記針位置カウンタに出力して前記カウント値を１秒分ずつ加算させるパルス制御回路を備え、前記設定手段は、前記記憶手段に記憶される前記所定の時刻としての指針位置に対応するカウント値にセットさせる針位置データ初期化回路を備え、前記入力操作認識手段は、前記竜頭による前記表示時刻を変更可能な状態から変更不可能な状態へ切り替える所定の入力操作を認識し、前記針位置データ初期化回路にて前記記憶手段に記憶される前記カウント値にセットさせる竜頭操作認識手段を備えたことが好ましい。
【００２７】
このような構成では、入力操作認識手段の竜頭操作認識手段により、竜頭による前記表示時刻を変更可能な状態から変更不可能な状態へ切り替える所定の入力操作を認識すると、設定手段の針位置データ初期化回路にて記憶手段の針位置カウンタに記憶される指針位置に対応したカウント値にセットさせる。このことにより、指針位置に対応するカウント値を現時刻に対応するカウント値として修正することで表示時刻を現時刻に修正させる構成が簡略化する。
【００２８】
また、前記受信手段にて受信した前記標準電波に基づいて受信した時刻に関する情報を記憶する時刻データ記憶回路を具備し、前記記憶手段は、前記時刻を指針位置に対応したカウント値として記憶する針位置カウンタを備え、前記計時手段は、前記基準信号源から出力される信号に基づいて１Ｈｚのパルス信号を前記針位置カウンタに出力して前記カウント値を１秒分ずつ加算させるパルス制御回路を備え、前記比較手段は、前記時刻データ記憶回路に記憶された時刻に対応したカウント値として記憶する現時刻カウンタを備え、この現時刻カウンタのカウント値と前記針位置カウンタのカウント値との時刻差を認識することが好ましい。
【００２９】
このような構成では、比較手段の現時刻カウンタに受信手段にて受信した標準電波に基づいて時刻データ記憶回路に記憶した時刻に対応したカウント値を記憶し、比較手段により、現時刻カウンタのカウントするカウント値と針位置カウンタのカウント値との時刻差を認識する。このことにより、簡単な構成で表示時刻を正しく現時刻に修正可能となる。
【００３０】
さらに、前記設定手段は、前記竜頭により前記表示時刻が所定の時刻に変更されて前記表示時刻が変更不可能な状態へ切り替える所定の入力操作を前記入力操作認識手段にて認識すると、前記記憶手段に所定の時刻を記憶させることが好ましい。
【００３１】
このような構成では、竜頭により表示時刻が所定の時刻に変更されて表示時刻が変更不可能な状態へ切り替える所定の入力操作を入力操作認識手段にて認識すると、記憶手段に所定の時刻を記憶させる。このことにより、竜頭にて所定の時刻に表示時刻が変更されて表示時刻の変更不可能な状態へ切り替える所定の入力操作により、時刻修正させる記憶手段に記憶させる所定の時刻との一致が容易に得られる。
【００３２】
第２の発明の電波修正時計の制御方法は、計時される時刻が指針により表示される表示時刻を受信した時刻情報を含む標準電波に基づいて修正する電波修正時計の制御方法であって、前記表示時刻を所定の入力操作により変更可能および変更不可能とする竜頭の変更可能な状態から変更不可能な状態へ切り替える所定の入力操作を認識し、この所定の入力操作の認識により、前記計時する時刻を所定の時刻に設定することを特徴とするものである。
【００３３】
第３の発明の電波修正時計の制御方法は、計時される時刻が指針により表示される表示時刻を受信した時刻情報を含む標準電波に基づいて修正する電波修正時計の制御方法であって、前記表示時刻が竜頭の操作にて所定の時刻に変更されてから前記表示時刻を変更不可能な状態へ切り替える所定の入力操作を認識することにより、前記計時する時刻を所定の時刻に設定することを特徴とするものである。
【００３４】
この第２の発明および第３の発明の電波修正時計の制御方法によれば、上述した第１の発明と同様の作用効果を奏する。
【００３５】
この第２の発明において、前記所定の設定時刻は、００時００分００秒の指針位置に対応するカウント値であることが好ましい。
また、前記竜頭による前記表示時刻を変更可能な状態から変更不可能な状態とする前記所定の入力操作を認識すると前記標準電波を受信させ、前記標準電波の受信に成功すると前記標準電波に基づく現時刻と前記設定した所定の時刻との差異状況を認識し、この認識した差異状況に基づいて前記表示時刻を前記現時刻に変更することが好ましい。
さらに、前記設定する所定の時刻が前記現時刻と同一となるまで前記指針を運針させることで、前記表示時刻を前記現時刻に変更することが好ましい。
そして、前記標準電波を受信する際に、前記指針の運針を停止させることが好ましい。
さらに、前記標準電波の受信に失敗した場合には、前記指針の運針を停止または停止を継続させることが好ましい。
また、前記竜頭による前記表示時刻を変更可能な状態から変更不可能な状態とする所定の入力操作を認識することにより、運針を開始させることが好ましい。
そして、計時する時刻を指針位置に対応したカウント値として記憶させ、この記憶するカウント値を１Ｈｚのパルス信号により１秒ずつ加算することで計時し、前記竜頭による前記表示時刻を変更可能な状態から変更不可能な状態へ切り替える所定の入力操作を認識することにより、カウント値をリセットすることで前記所定の時刻を設定させることが好ましい。
また、計時する時刻を指針位置に対応したカウント値として記憶させ、この記憶するカウント値を１Ｈｚのパルス信号により１秒ずつ加算することで計時し、前記標準電波に基づいて受信した時刻と前記１Ｈｚのパルス信号とに基づいて現時刻をカウントし、このカウントする現時刻と指針位置に対応したカウント値との時刻差を認識することが好ましい。
さらに、前記標準電波の受信に失敗した場合、前記表示時刻を変更可能な状態から変更不可能な状態とする所定の入力操作を認識することにより運針を開始させるとともに、前記所定の入力操作を再度認識するまで前記標準電波の受信を停止させることが好ましい。
そして、前記竜頭により前記表示時刻が変更されて前記表示時刻が変更不可能な状態へ切り替える所定の入力操作を認識すると、前記計時する時刻を所定の時刻に設定することが好ましい。
【００３６】
これらのような構成によれば、上述した第１の発明における他の態様と同様の作用効果を奏する。
【００３７】
【発明の実施の形態】
〔第１の実施の形態〕
以下、本発明の第１の実施の形態を図面に基づいて説明する。
なお、この第１の実施の形態では、時針、分針および秒針を備え時刻を指針により表示する指針式時計、いわゆるアナログ時計について説明するが、本発明は、秒針を有しないものや、カレンダ機能を有したものなどにも適用でき、クロックあるいはウオッチのいずれにも適用できる。
【００３８】
〔電波修正時計の構成〕
図１は、本発明における第１の実施の形態の電波修正時計１００の竜頭が押し込まれた状態を示す一部を切り欠いた平面図である。図２は、図１の部分拡大図である。図３は、電波修正時計１００の竜頭が引き出された状態を示す一部を切り欠いた平面図である。図４は、図３の部分拡大図である。
図１および図３において、１００は電波修正時計で、この電波修正時計１００は、図示しないケース体を備えている。ケース体は、地板１１０と、地板１１０の正面を覆って地板１１０に取り付けられる図示しない文字板と、文字板を覆って地板１１０に取り付けられる図示しないガラスケースと、地板１１０の裏面を覆って地板１１０に取り付けられる図示しない蓋体と、を備えている。なお、文字板は、時刻を表す数値が表示されたものに限らず、数値を有しない無地のもの、各種キャラクタなどが印刷されたものなど、いずれのものでもよい。さらには、文字板を有しない構成でもよい。
【００３９】
そして、ケース体の地板１１０には、電源である例えばボタン電池１１１が着脱可能に配設される電池収容空間１１２が設けられている。この電池収容空間１１２は、蓋体が取り外されて地板１１０の裏面が開放された状態で外部に臨んで開放する。
また、ケース体内には、電波修正時計１００全体の動作を制御する図示しない制御手段を構成するＩＣ（Ｉｎｔｅｇｒａｔｅｄ  Ｃｉｒｃｕｉｔ）や各種電気部品などが搭載された回路基板が設けられている。
さらに、ケース体内には、駆動手段としてのステップモータ１２０が配設されている。ステップモータ１２０は、回路基板に接続されて駆動が制御される。このステップモータ１２０は、コイルブロック１２１と、モータ用ステータ１２２と、モータ用ロータ１２３と、を備えている。コイルブロック１２１は、磁心１２１Ａと、この磁心１２１Ａに巻装されるコイル１２１Ｂとを備えている。モータ用ステータ１２２は、コイルブロック１２１の軸方向の両端に接続された略板状で、略中央には、筒状のロータ配置孔１２２Ａを有している。モータ用ロータ１２３は、２極に着磁された永久磁石製で、モータ用ステータ１２２のロータ配置孔１２２Ａ内に配設される。
そしてさらに、ケース体内には、時刻情報が重畳された長波標準電波を受けるアンテナ１３０が配設されている。このアンテナ１３０は、例えばフェライト棒にコイルが巻装されて構成されたフェライトアンテナなどが用いられる。そして、アンテナ１３０は、回路基板に接続されている。
【００４０】
また、ケース体内には、ステップモータ１２０の駆動を指針である時針１１７、分針１１８および図示しない秒針に伝達する駆動伝達手段１４０が配設されている。この駆動伝達手段１４０は、五番車１４１、四番車１４２、三番車１４３、二番車１４４、筒車１４５および日の裏車１４６を備えている。
五番車１４１は、モータ用ロータ１２３のかな部１２３Ａに係合する。四番車１４２は、五番車１４１のかな部１４１Ａに係合する。この四番車１４２には秒針が取り付けられ、秒針を運針させる。三番車１４３は、四番車１４２のかな部１４２Ａに係合する。二番車１４４は、四番車と同軸上に軸支され、三番車１４３のかな部１４３Ａに係合する。この二番車１４４には分針が取り付けられ、四番車１４２が１回転することにより三番車１４３を介して６°回転、すなわち分針を１分間分運針させる。筒車１４５は、四番車１４２および二番車１４４と同軸上に軸支され、時針が取り付けられる。日の裏車１４６は、二番車１４４のかな部１４４Ａに係合するとともに、かな部１４６Ａが筒車１４５に係合している。そして、二番車１４４が１回転することにより、日の裏車１４６を介して筒車１４５が３０°回転、すなわち１時間分運針される。
【００４１】
さらに、ケース体内には、表示時刻変更手段２００が配設されている。この表示時刻変更手段２００は、所定の入力操作により、時分針の指針にて表示される時刻としての表示時刻を変更する。この表示時刻変更手段２００は、外部操作部材２１０と、この外部操作部材２１０の入力操作を時分針に伝達する操作伝達手段２２０と、を有している。
外部操作部材２１０は、略細長棒状の巻真２１１を有している。この巻真２１１には、軸方向の一端に径大に形成され周面に凹凸を有した図示しない竜頭が設けられている。そして、外部操作部材２１０は、竜頭が地板１１０から外方に位置する状態で地板１１０に軸方向に沿って押引動作可能に配設される。
【００４２】
操作伝達手段２２０は、おしどり２２１、かんぬき２２２、かんぬき押え２２３、つづみ車２２４、小鉄車２２５および日の裏中車２２６を備えている。
おしどり２２１は、地板１１０に軸部材２２１Ａにて回動自在に配設され、回動する一端側が外部操作部材２１０の巻真２１１に係合されている。すなわち、巻真２１１の押引操作に対応して回動する。また、おしどり２２１には、位置決めピン２２１Ｂと、係合ピン２２１Ｃと、が突設されている。
【００４３】
かんぬき２２２は、軸部材２２１Ａにておしどり２２１と対応して回動自在に地板１１０に配設されている。このかんぬき２２２には、おしどり２２１の位置決めピン２２１Ｂが係脱可能な２つの係合凹部２２２Ａ１，２２２Ａ２が設けられている。すなわち、位置決めピン２２１Ｂが係合凹部２２２Ａ１に係合する状態では、外部操作部材２１０の巻真２１１が図１および図２に示す押し込まれた状態となる。また、係合凹部２２２Ａ２へ係合する状態では、巻真２１１が図３および図４に示す引き出された状態となる。このように、巻真２１１は２段階操作が可能で、係合する状態の変更の際に操作する利用者にクリック感を与える。
なお、例えば電波修正時計１００としてカレンダ機能を有する場合、さらにもう一つの係合凹部を設けて巻真２１１を３段階操作可能としてもよい。
【００４４】
かんぬき押え２２３は、軸ピン２２３Ａにて地板１１０に回動自在に配設されている。このかんぬき押え２２３には、回動する一端側に地板１１０に当接して一端側を地板１１０から離間させる方向に付勢させる板ばね状の付勢部２２３Ｂが設けられている。そして、このかんぬき押え２２３は、回動する他端側がおしどり２２１の回動する他端側に接離可能に当接し、付勢部２２３Ｂの付勢に抗して回動される。この付勢部２２３Ｂの付勢により、巻真２１１が図１および図２に示す押し込まれた状態が常時維持される状態となる。
【００４５】
つづみ車２２４は、外部操作部材２１０の巻真２１１を摺動可能に嵌挿する筒状に形成されている。すなわち、つづみ車２２４は、巻真２１１に軸方向に沿って移動可能でかつ巻真２１１の回転に伴って回転する状態に配設されている。このつづみ車２２４は、かんぬき押さ２２３の回動する他端側に係合されている。そして、つづみ車２２４は、巻真２１１が引き出された状態に移動されておしどり２２１が回動し、この回動するおしどり２２１にかんぬき押え２２３が当接して回動し、巻真２１１の先端側である竜頭と反対側に移動される。
【００４６】
小鉄車２２５は、巻真２１１が引き出された図３および図４に示す状態の操作により、移動するつづみ車２２４に係合する。このことにより、小鉄車２２５は、竜頭の回転操作にて巻真２１１の回転に伴って回転するつづみ車２２４により回転される。
【００４７】
日の裏中車２２６は、小鉄車２２５に係合し、つづみ車２２４および小鉄車２２５を介して巻真２１１の回転により回転する。この日の裏中車２２６は、日の裏車１４６に係合し、回転により日の裏車１４６を介して筒車１４５および二番車１４４を回転させ、分針および時針を回転させる。すなわち、巻真２１１が引き出された状態で回転されることにより、時分針が回転し、表示される表示時刻が変更される。なお、巻真２１１が押し込まれた状態では、小鉄車２２５とつづみ車２２４との係合が解除されるため、巻真２１１を回転しても時分針による指針状態である表示時刻は変更されない。
【００４８】
また、操作伝達手段２２０には、リセットレバー３００が配設されている。このリセットレバー３００は、地板１１０にシャフト３０１にて回動自在に軸支されている。また、リセットレバー３００には、回動する一端側におしどり２２１の係合ピン２２１Ｃが係合するガイド溝３００Ａが設けられている。そして、リセットレバー３００は、おしどり２２１の回動により、回動される。また、リセットレバー３００の回動する他端側には、端子部３００Ｂが設けられている。そして、リセットレバー３００は、端子部３００Ｂが地板１１０に穿設された孔部１１５に先端部が嵌挿する状態で配設され、回動により、孔部１１５の一縁１１５Ａまたは他縁１１５Ｂに接触する。この地板１１０の孔部１１５には、回路基板に接続された図示しない電極が設けられ、リセットレバー３００の端子部３００Ｂの当接状態を検出可能、すなわち竜頭操作である巻真２１１の押し込み状態および引き出し状態を検出可能となっている。
これらリセットレバー３００および地板１１０の孔部１１５に配設された電極とにより、後述する竜頭操作検出手段が構成される。
【００４９】
〔電波修正時計の内部構成〕
次に、上述した電波修正時計１００の内部構成、すなわち回路基板に搭載された各種回路の構成を図面を参照して説明する。図５は、電波修正時計１００の内部構成を示すブロック図である。図６は、制御回路の詳細な構成を示すブロック図である。
【００５０】
図５および図６において、４００は回路基板に搭載された制御手段で、この制御手段４００は、電波修正時計１００の計時および時刻修正を実施する。制御手段４００には、モータ駆動回路４１０と、受信回路４２０と、時刻データ記憶回路４３０と、制御回路４４０と、が構成されている。
【００５１】
モータ駆動回路４１０は、ステップモータ１２０の駆動を制御する。このモータ駆動回路４１０は制御回路４４０に接続され、制御回路４４０にて制御される。
具体的には、制御回路４４０から例えば１Ｈｚのタイミングでパルス信号が出力され、このパルス信号に基づいてステップモータ１２０を駆動させる。この１Ｈｚのタイミングで駆動するステップモータ１２０により、図示しない秒針、分針１１８および時針１１７が運針、すなわち駆動伝達手段１４０を介して秒針が１秒分である６°ずつ回転するとともにこの秒針に対応して分針１１８および時針１１７も回転する状態に運針される。
また、制御回路４４０から例えば１２８Ｈｚの早送りパルス信号が出力されると、この早送りパルス信号に基づいてステップモータ１２０を駆動させる。この早送りパルス信号を受信したモータ駆動回路４１０により駆動制御されるステップモータ１２０は、指針を早送り状態で運針させる。
【００５２】
受信回路４２０は、同調コンデンサなどにて構成された図示しない同調回路を備えている。そして、受信回路４２０は、同調回路で設定された周波数の長波標準電波をアンテナ１３０で受信させるように構成されている。この受信する長波標準電波としては、例えば日本国内においては、送信周波数４０ｋＨｚのおおたかどや山（東日本）の標準電波出力局と、送信周波数６０ｋＨｚのはがね山（西日本）の標準電波出力局との２種類の周波数である。
また、受信回路４２０は、図示しない、増幅回路、バンドパスフィルタ、復調回路、デコード回路などを備え、受信した長波標準電波からデジタルデータである時刻情報すなわちタイムコードを取り出す。この取り出したタイムコードは、時刻データ記憶回路に出力される。
そして、アンテナ１３０と受信回路４２０とにて、本発明の受信手段４５０が構成される。
【００５３】
時刻データ記憶回路４３０は、例えばメモリなどで、受信回路４２０から出力されるタイムコードを記憶する。この時刻データ記憶回路４３０は、制御回路４４０に接続され、制御回路４４０が適宜読み出し可能にタイムコードを記憶する。このタイムコードの記憶としては、例えば１分間おきに受信回路４２０で複数回、例えば３回受信してタイムコードを取得し、得られたタイムコードの時刻を比較して全て一致、あるいは設定されたある確率を超えた時刻の一致にて現時刻を認識し、現時刻を○時○分○秒などの時刻データとして記憶する。
【００５４】
制御回路４４０は、電波修正時計１００で時刻を計時させる制御をするとともに、適宜時刻を修正する制御をする。この制御回路４４０は、竜頭操作認識手段４４１と、受信制御回路４４２と、水晶発振回路４４３、分周回路４４４、パルス制御回路４４５、記憶手段としての針位置カウンタ４４６、設定手段としての針位置データ初期化回路４４７、および、比較手段としての時刻データ比較回路４４８を備えている。
【００５５】
竜頭操作認識手段４４１は、上述したリセットレバー３００および地板１１０の孔部１１５に配設された電極にて構成される竜頭操作検出手段４６１が接続されている。そして、竜頭操作認識手段４４１は、竜頭操作検出手段４６１にて検出した竜頭２１２の操作状況を認識し、竜頭２１２の操作状況に対応して所定の信号を出力する。
具体的には、外部操作部材２１０の竜頭２１２が引っ張られて巻真２１１が引き出された図３および図４に示す状態、すなわち指針が竜頭２１２の回転操作にて運針されて表示時刻が変更可能な状態か、竜頭２１２が押されて巻真２１１が押し込まれた図１および図２に示す状態、すなわち竜頭２１２を操作しても表示時刻が変更不可能な状態かを認識し、所定の操作信号を受信制御回路４４２およびパルス制御回路４４５に出力する。
この竜頭操作認識手段４４１と、孔部１１５に配設された図示しない電極および外部操作部材の操作に対応して回動するリセットレバー３００にて構成される竜頭操作検出手段４６１により、本発明の入力操作認識手段４６０が構成される。
なお、電波修正時計１００にカレンダ機能が設けられて竜頭２１２が３段階操作可能な構成の場合において、例えば１段階引かれてカレンダ機能で表示されるカレンダを変更可能、２段階引かれて指針位置が変更可能となる構成である場合、竜頭操作認識手段４４１は、２段階引かれた際に表示時刻が変更可能な状態と認識する。また、竜頭操作認識手段４４１は、引かれていない状態あるいは１段階引かれた状態では指針位置が変更されないので変更不可能な状態と認識する。
【００５６】
受信制御回路４４２は、受信回路４２０にて長波標準電波を受信させてタイムコードを取り出させる制御をする。また、受信制御回路４４２は、受信回路４２０にて取得したタイムコードを時刻データ記憶回路４３０に記憶させる制御をする。
【００５７】
水晶発振回路４４３には、水晶振動子などの基準信号源４４３Ａが接続されている。そして、水晶発振回路４４３は、基準信号源４４３Ａを高周波発振させ、この高周波発振により発生する発振信号を分周回路４４４に出力する。
【００５８】
分周回路４４４は水晶発振回路４４３に接続され、水晶発振回路４４３から出力される発振信号を受信する。そして、分周回路４４４は、受信した発振信号を分周し、所定の基準信号、例えば１Ｈｚの信号としてパルス制御回路４４５および時刻データ比較回路４４８へ出力する。
【００５９】
パルス制御回路４４５は、分周回路４４４に接続され、分周回路４４４から出力される基準信号を受信する。そして、パルス制御回路４４５は、受信した基準信号に対応してモータ駆動回路４１０に１Ｈｚのパルス信号を出力する。このパルス信号の出力により、モータ駆動回路４１０が駆動し、ステップモータ１２０を駆動させる。さらに、パルス制御回路４４５は、上述したように早送りパルス信号を出力可能となっている。
また、パルス制御回路４４５は、パルス信号および早送りパルス信号を針位置カウンタ４４６に出力する。なお、このパルス制御回路４４５のパルス信号および早送りパルス信号の出力にてモータ駆動回路４１０を駆動させて指針を運針させる処理は、受信制御回路４４２により受信手段４５０にて長波標準電波を受信する際には、実施させない、すなわち長波標準電波の受信時にはパルス信号および早送りパルス信号を出力させず、運針を停止させるように制御する。
さらに、パルス制御回路４４５は、竜頭操作認識手段４４１により竜頭２１２が引かれて竜頭２１２が引き出された図３および図４に示す状態であると認識して所定の信号が出力されたことを認識する。この認識により、パルス制御回路４４５は、パルス信号をモータ駆動回路４１０へ出力することを停止する。すなわち、竜頭２１２が引かれた状態ではステップモータ１２０を駆動させないようにする。
【００６０】
針位置カウンタ４４６は、例えばメモリなどにて構成され、パルス制御回路４４５に接続されている。この針位置カウンタ４４６は、パルス制御回路４４５からのパルス信号および早送りパルス信号に基づいて、計時される時刻を記憶、例えば○時○分○秒などのカウント値として記憶する。
そして、水晶発振回路４４３、分周回路４４４およびパルス制御回路４４５および針位置カウンタ４４６にて時刻が計時される計時手段４７０が構成される。
【００６１】
針位置データ初期化回路４４７は、竜頭操作認識手段４４１および針位置カウンタ４４６に接続されている。この針位置データ初期化回路４４７は、竜頭操作認識手段４４１から出力される操作信号を受信し、この操作信号の受信により針位置カウンタ４４６に所定の時刻に対応するカウント値としての初期値、例えば指針位置が０時（１２時）に対応する００時００分００秒を針位置カウンタ４４６に記憶、すなわちカウント値をクリアさせる。なお、初期値としては、０時（１２時）に対応する００時００分００秒に限らず、例えば０６時００分００秒など、時間合わせの操作が容易な６時などの指針位置に対応する所定の時刻のカウント値としてもよい。
【００６２】
時刻データ比較回路４４８は、針位置カウンタ４４６、時刻データ記憶回路４３０および分周回路４４４に接続されている。そして、時刻データ比較回路４４８は、現時刻カウンタ４４８Ａを備えている。この現時刻カウンタ４４８Ａは、時刻データ記憶回路４３０の長波標準電波に基づくタイムコードに対応して例えば○時○分○秒などのカウント値として設定する。
そして、時刻データ比較回路４４８は、この現時刻カウンタ４４８Ａで設定された現時刻のカウント値と、針位置カウンタ４４６のカウント値との差である差異状況、すなわち時刻の差を認識する。この認識した時刻の差に対応する差異状況信号をパルス制御回路４４５に出力する。この差異状況信号を認識したパルス制御回路４４５は、上述したように、差異状況信号に対応した早送りパルス信号を針位置カウンタ４４６およびモータ駆動回路４１０に出力させ、針位置カウンタ４４６のカウンタ値および指針を早送りさせる。この早送りパルス信号の出力は、針位置カウンタ４４６のカウント値が現時刻カウンタ４４８Ａにて認識する現時刻のカウント値と略同一となるまで出力させる。この指針の早送りにより表示される指針位置が現時刻に対応する指針位置に運針されて修正される。
このように、パルス制御回路４４５およびモータ駆動回路４１０により本発明の時刻修正手段４８０が構成される。
なお、時刻データ比較回路４４８は、分周回路４４４から１Ｈｚの基準信号を取得することにより、現時刻カウンタ４４８Ａのカウント値を１秒分加算する処理をすることで、常に現時刻を示す構成となっている。
【００６３】
〔電波修正時計の動作〕
次に、上述した構成の電波修正時計１００における時刻修正の動作を図面を参照して説明する。図７は、電波修正時計１００の時刻修正の動作を示すフローチャートである。
【００６４】
時刻を修正する際、表示された時刻である表示時刻を所定の時刻、例えば指針にて０時（１２時）を指す状態の初期位置に、時針１１７、分針１１８および秒針を修正する。具体的には、まず利用者は外部操作部材２１０の竜頭２１２を引っ張って、巻真を図３および図４に示す引き出された状態にする。なお、時刻の修正としては、例えば電波修正時計１００を利用する初期段階、ボタン電池の交換後、落下などにて衝撃が加わって指針状態が変更してしまった場合など、指針位置と針位置カウンタ４４６とのカウンタ値とが対応しない状態で実施する。
この竜頭２１２の引張操作は、秒針が０時の位置、すなわち文字板に「１」〜「１２」の数値が印刷されたものである場合には「１２」を指した瞬間に実施し、秒針が「１２」を指す位置で停止する状態とする。
【００６５】
この竜頭２１２の引張操作により、巻真２１１に一端側が係合するおしどり２２１が軸部材２２１Ａを回転軸として回動する。このおしどり２２１の回動により、おしどり２２１の回動する他端側がかんぬき押え２２３に当接し、かんぬき押え２２３の付勢部２２３Ｂの付勢に抗してかんぬき押えを回動させる。
さらに、おしどり２２２の回動により、軸部材２２１Ａを回転軸としてかんぬき２２２も連動して回動する。そして、かんぬき２２２の回動により、おしどり２２１の位置決めピン２２１Ｂがかんぬき２２２の係合凹部２２２Ａ１に係合する状態から係合凹部２２２Ａ２に係合する状態となる。
【００６６】
また、おしどり２２１の回動に伴って、係合ピン２２１Ｃが係合するリセットレバー３００のガイド溝３００Ａ内で相対的に摺動し、リセットレバー３００がシャフト３０１を回転軸として回動する。このリセットレバー３００の回動により、端子部３００Ｂが地板１１０の孔部１１５の一縁１１５Ａから他縁１１５Ｂに接触する状態となる。
このリセットレバー３００の端子部３００Ｂが他縁１１５Ｂへ接触すると、図７に示すように、竜頭操作検出手段４６１が接触状態を検出する。そして、制御回路４４０の竜頭操作認識手段４４１は、竜頭操作検出手段４６１からの信号に基づいて、竜頭２１２が引かれて巻真２１１が引き出された図３および図４に示す状態であると認識する（ステップＳ１）。
【００６７】
そして、竜頭操作認識手段４４１が竜頭２１２が引かれた状態と認識することで、パルス制御回路４４５は、モータ駆動回路４１０へのパルス信号の出力を停止し、ステップモータ１２０の駆動による運針を停止させる（ステップＳ２）。
【００６８】
さらに、竜頭２１２の引張操作によりかんぬき押え２２３が回動することで、かんぬき押え２２３に係合するつづみ車２２４が、巻真２１１の軸方向に沿って竜頭２１２と反対側の先端側に移動される。このつづみ車２２４の移動により、つづみ車２２４が小鉄車２２５に係合する。
この状態で、利用者が竜頭２１２を回転すると、巻真２１１とともにつづみ車２２４を介して小鉄車２２５が回転する。そして、小鉄車２２５の回転により、日の裏中車２２６を介して日の裏車１４６が回転し、時針１１７および分針１１８が回転される。この時針１１７および分針１１８の指針にて１２時を指す初期位置の状態に表示時刻が変更され、竜頭２１２を通常の図１および図２に示す押し込まれた状態にする。
【００６９】
この竜頭２１２の押し込みにより、上述した動作と反対につづみ車２２４が小鉄車２２５から離間し、表示時刻の変更不可能な図１および図２の状態となる。さらに、リセットレバー３００が再び回動し、端子部３００Ｂが孔部１１５の他縁１１５Ｂから一縁１１５Ａに接触する状態となる。
このリセットレバー３００の端子部３００Ｂが他縁１１５Ｂから一縁１１５Ａへ接触状態が切り替わると、図７に示すように、制御回路４４０の竜頭操作認識手段４４１は竜頭２１２が押されて巻真２１１が押し込まれた図１および図２に示す状態に切り替わったと判断する（ステップＳ３）。
【００７０】
この竜頭操作認識手段４４１により巻真２１１が押し込まれた状態に切り替わったことを判断すると、制御回路４４０の針位置データ初期化回路４４７が針位置カウンタ４４６を初期状態の０時（１２時）に対応する００時００分００秒のカウンタ値にリセットする（ステップＳ４）。
さらに、制御回路４４０は、受信制御回路４４２で受信回路４２０にて長波標準電波を受信させる制御をする（ステップＳ５）。この受信の際、例えばパルス制御回路４４５からパルス信号をモータ駆動回路４１０へ出力させて運針させる処理を停止（停止状態の継続）させ、運針による受信障害を防止する。
【００７１】
そして、制御回路４４０は、正しく受信されたか否かを判断する（ステップＳ６）。この受信の正否は、例えば受信回路４２０からタイムコードが出力されたことを認識したり、タイムコードを記憶する時刻データ記憶回路４３０にタイムコードが記憶されたことを認識したり、受信の際に複数回、例えば１分間おきに３回受信して得られた時刻を比較して全て一致、あるいは設定されたある確率を超えたデータの一致を認識したりするなどにより判断される。なお、３回受信して時刻の一致を認識する具体的な方法としては、例えば１分間おきに３回受信して得られた時刻について、１回目の時刻に２分間分を加算した時刻と、２回目の時刻に１分間分を加算した時刻と、３回目の時刻とを比較して一致するか否かを認識する方法が利用できる。
このステップＳ６で正しく受信できたことを認識すると、時刻データ比較回路４４８は、現時刻カウンタ４４８Ａで設定された現時刻に対応するカウント値と、針位置カウンタ４４６のリセットされたカウント値との差を認識する。
【００７２】
そして、時刻データ比較回路４４８は、カウント値との差に対応する差異状況信号をパルス制御回路４４５に出力し、パルス制御回路４４５から所定の早送りパルス信号をモータ駆動回路４１０に出力させる。この早送りパルス信号を取得したモータ駆動回路４１０は、適宜ステップモータ１２０を駆動させ、駆動伝達手段１４０を介して指針を運針させ、指針位置の表示時刻に修正する。すなわち、初期位置である０時（１２時）を指す指針を現時刻に対応するカウント値に対応する指針位置の表示時刻に運針させる。
この後、分周回路４４４から出力される基準信号に基づいてパルス制御回路４４５は１Ｈｚのパルス信号をモータ駆動回路４１０に出力し、通常の計時、すなわち秒針を１秒ずつ運針させる（ステップＳ７）。この際、分周回路４４４からの１Ｈｚの信号は、時刻データ比較回路４４８および針位置カウンタ４４６にも出力されることから、現時刻カウンタ４４８Ａのカウント値および針位置カウンタ４４６のカウント値もそれぞれ１秒分ずつ加算され、指針位置に対応し同じ時刻に対応するカウント値にカウントされる。
【００７３】
一方、ステップＳ６で、正しく長波標準電波を受信できなかったことを認識すると、受信制御回路４４２がステップモータ１２０による運針の停止を継続させる処理をする（ステップＳ８）。すなわち、パルス制御回路４４５から１Ｈｚのパルス信号を出力させず、指針が竜頭２１２の操作にて変更した０時（１２時）を示す状態のままとなる。
このことにより、運針が開始されないので、受信に失敗したことを別途構成を用いることなく利用者に認識させることが容易にでき、再度操作を繰り返したり、他の受信しやすい場所に移動して再度操作を繰り返すなどで正しく修正させる旨を示唆できる。そして、利用者が再び竜頭２１２を引く操作によりステップＳ１に移行し、上述した処理が繰り返される。
【００７４】
そして、上述した処理が終了した後は、受信制御回路４４２が定期的に長波標準電波を受信回路４２０で受信させ、受信した長波標準電波に基づいて現時刻と針位置カウンタ４４６とを時刻データ比較回路４４８で比較する。この比較した差量だけ、パルス制御回路４４５から早送りパルス信号を出力させて指針位置を変更させて時刻修正する。すなわち、一般的な電波修正時計における時刻修正が実施される。
【００７５】
〔第１の実施の形態の作用効果〕
上述したように、このような第１の実施の形態によれば、次の効果を奏することができる。
【００７６】
（１）竜頭２１２による表示時刻の変更可能な巻真２１１が引き出された図３および図４に示す状態から、変更不可能な巻真２１１が押し込まれた図１および図２に示す状態へ切り替える操作を、入力操作認識手段４６０にて認識すると、針位置データ初期化回路４４７が針位置カウンタ４４６に記憶する時刻をリセットして所定の時刻である０時（１２時）に対応する初期値である００時００分００秒のカウンタ値を記憶させる。このため、表示時刻を標準電波に基づく現時刻に修正するために現時刻と比較するカウント値を初期値にし、この初期値に対応する指針が初期位置となる状態にする時間合わせの操作として、一般的に利用される竜頭２１２の操作時としているので、駆動伝達手段１４０を構成する歯車に孔を設けて光センサにて指針状態を認識するなどの特別な構成を設けることなく、さらに複数のボタンなどを用いることなく、一般的に利用されている構成を用いることで容易に指針状態を現時刻に正しく修正でき、製造作業性の向上や生産性の向上およびコストの低減が容易に図れ、デザイン上の制約もなく、外観も向上できる。さらには、利用者が指針状態を初期位置の状態に変更する操作も一般的な竜頭２１２の操作ででき、操作性も向上できる。
【００７７】
（２）表示時刻を変更可能な状態から変更不可能な状態とする竜頭２１２の所定の操作を入力操作認識手段４６０にて認識すると、受信制御回路４４２により時刻情報を含む長波標準電波を受信回路４２０にて受信させる制御をするとともに、長波標準電波に基づいてカウントする現時刻と、所定の操作にて針位置カウンタ４４６に記憶した初期値とのカウンタ値の差を時刻データ比較回路４４８で比較し、カウンタ値の差に基づいてパルス制御回路４４５でモータ駆動回路４１０を制御してステップモータ１２０の駆動を制御し、指針位置を現時刻に対応する位置に運針させて修正させる。このため、容易に表示時刻を現時刻に正しく修正できる。
さらに、カウンタ値を用いて指針の初期位置と現時刻との差異状況を認識する構成としている。このため、簡単な構成で容易に差異状況を認識でき、回路構成の簡略化および処理効率の向上などが容易に図れる。
【００７８】
（３）時刻データ比較回路４４８において所定の時刻の表示時刻を初期値として認識して長波標準電波に基づく現時刻と比較させる。このため、竜頭２１２にて変更する指針状態が初期位置の状態の時間として、例えば０時（１２時）の時間合わせの操作が容易な時間としているので、より操作性が向上する。そして、指針状態が０時（１２時）に対応する００時００分００秒を初期値としているので、この初期値に対応する指針状態の表示時刻である０時（１２時）を指す初期状態に操作することが特に容易で、さらに操作性を向上できる。さらに、通常の電波修正時計において表示時刻を現時刻に修正させる構成として指針位置を初期値として００時００分００秒のカウント値にする構成を流用することが可能となり、コストの低減が容易に図れる。
【００７９】
（４）パルス制御回路４４５により、指針を運針させるステップモータ１２０の駆動を、指針位置が初期位置の状態である０時（１２時）に対応する初期値のカウント値である００時００分００秒を、カウントする現時刻のカウント値である○時○分○秒と同一の値となるように早送りパルス信号を出力して針位置カウンタ４４６のカウント値を早送りするとともに、モータ駆動回路４１０を制御してステップモータ１２０を適宜駆動させ早送りで運針させて修正する。このため、表示時刻の正しい現時刻への修正が簡単な構成で容易にできる。
【００８０】
（５）受信制御回路４４２により、受信回路４２０にて長波標準電波を受信させる際に、パルス制御回路４４５からのパルス信号の出力によるステップモータ１２０による運針処理を停止させる。このため、ステップモータ１２０の駆動時に生じる磁界などに基づく運針による受信妨害を防止でき、長波標準電波の受信性を向上でき、良好な時刻修正ができる。
【００８１】
（６）秒針が０時（１２時）を指す状態で竜頭２１２の引き動作により表示時刻の変更可能な図３および図４に示す状態とする構成により、秒針の位置まで初期化されることとなり、秒単位で正確な現時刻に修正させることができる。
【００８２】
〔第２の実施の形態〕
次に、本発明の第２の実施の形態を図面に基づいて説明する。
なお、この第２の実施の形態は、上述した第１の実施の形態と同様の構造で、第１の実施の形態におけるステップＳ６において、受信手段４２０による長波標準電波の受信が失敗した場合、運針が停止する状態を継続させる構成に代えて、図８に示すように、運針処理をして通常の計時を開始させるものである。図８は、本発明の第２の実施の形態における電波修正時計の時刻修正の動作を示すフローチャートである。この図８において、図７に示す第１の実施の形態と同様の動作については、同一の符号を付して説明を省略する。
【００８３】
すなわち、図８に示すように、ステップＳ６において受信手段４２０による長波標準電波の受信が失敗した場合、制御回路４４０は、パルス制御回路４４５から早送りパルス信号を出力させて現時刻に指針を運針させる処理を実施することなく、単に１Ｈｚのパルス信号を出力して運針による計時を開始させる運針処理を実施させる（ステップＳ１１）。例えば、時刻データ比較回路４４８は、受信ができなかった旨の信号を生成する。そして、パルス制御回路４４５から１Ｈｚのパルス信号をモータ駆動回路４１０に出力し、運針させる。
【００８４】
このことにより、竜頭２１２の操作にて０時（１２時）を指す指針位置として竜頭２１２を押し込んでも、正しい時間に修正されずに秒針が１秒ずつ運針する状態となる。このため、利用者は、正しく受信できなかったことを別途構成を用いることなく容易に認識できる。したがって、利用者は再び針位置を初期位置にする竜頭２１２を引張操作し、利用者が時報などにより認識した時刻に竜頭２１２を回転させて指針位置を変更して竜頭２１２を押し込む。この操作を入力操作認識手段４６０にて認識し、操作信号を生成する。この生成した操作信号と、受信ができなかった旨の信号とに基づいて、上述したようにパルス制御回路４４５は、１Ｈｚのパルス信号をモータ駆動回路４１０に出力し、運針させる。このことにより、長波標準電波を受信できない状況でも、通常のクオーツ時計の精度で運針されることから、通常のクオーツ時計として機能させることができる。
【００８５】
そして、利用者は現在時刻修正を実施している地点では長波標準電波の受信が正しくできない地点であると容易に判断できるので、利用者が場所を移動して改めて時刻修正をするステップＳ１からの操作により長波標準電波を正しく受信させる。なお、正しく受信できた場合には、受信できなかった旨の信号を削除する。
【００８６】
また、上述したように、正しく受信できず、利用者が時計として機能させるべく手動にて時刻を変更した場合で、定期的に長波標準電波を受信して時刻修正を実施する場合、竜頭２１２の操作にて既に利用者により指針位置が変更されているので、針位置カウンタ４４６のカウント値と実際の指針位置の時刻とが一致しない状態で修正されるので、正しく修正されない。したがって、再度取得した長波標準電波に基づいて指針位置を変更させた後にパルス制御回路４４５からパルス信号を出力して運針させる際、既に正しく受信できない旨の信号が生成されていることから、この信号に基づいて、例えば所定のパルス信号を出力して秒針を２秒おきに２秒間進む状態とする。このことにより、利用者は指針位置の初期設定、すなわち指針位置と針位置カウンタのカウント値とを一致させる処理であるステップＳ１からの処理が必要であることを認識できる。したがって、利用者は上述したように、正しく長波標準電波を受信させて正しく現時刻に修正させることができる。
【００８７】
なお、正しく受信できず、利用者が時計として機能させるべく手動にて時刻を変更した場合で、定期的に長波標準電波を受信して時刻修正を実施する場合において、２秒ごとに秒針を運針させる構成に限られない。例えば３秒ごとに運針させるなどしてもよい。また、第１の実施の形態のステップＳ８のように、運針させずに停止させてもよい。さらには、通常の１秒ごとに運針させるとともに別途設けたＬＥＤ（Ｌｉｇｈｔ  Ｅｍｉｔｔｉｎｇ  Ｄｉｏｄｅ）などを発光させて正しく受信できなかった旨を表示させるなどして利用者に報知してもよい。さらには、通常のクオーツ時計のように運針の際、例えば２秒ごとに秒針が２秒間運針される状態とするなどしてもよい。この構成によれば、正しく受信できなかったことが容易に認識できる。
また、正しく受信できない旨の信号が生成されている場合には、定期的に長波標準電波を受信して時刻修正を実施する処理を禁止するなどしてもよい。このような構成によれば、再度長波標準電波を受信して手動により時刻を修正して通常のクオーツ時計のように機能させているにもかかわらず、指針位置が変更される不都合が生じることをも防止できる。この場合には、運針として例えば上述したように２秒ずつ運針してもよい。この構成により、新たに長波標準電波を受信して修正したが、正しく時刻修正されていない旨を容易に利用者に認識させることができる。
さらには、再度竜頭２１２の所定の操作を認識して正しく長波標準電波を受信させて指針位置の初期設定が実行できた場合には、既に禁止している定期的な長波標準電波の受信を再開させるようにしてもよい。この構成により、通常のクオーツ時計のように機能させていた状態から電波修正時計１００として機能させることができるようになる。
【００８８】
上述したように、ステップＳ１１で運針させる構成では、入力操作認識手段４６０により、竜頭２１２による表示時刻を変更可能な状態から変更不可能な状態とする所定の操作を認識すると、駆動にて時針１１７および分針１１８を運針して指針により表示時刻を表示させるステップモータ１２０による運針を開始させる。このため、表示時刻を現時刻に修正するとともに計時による運針が開始され、修正後に現時刻の表示を継続でき、正確な時刻を容易に表示できる。
さらに、例えば長波標準電波の受信に失敗して表示時刻を現時刻に修正できないような状況となっても、竜頭２１２の操作にて表示時刻を現時刻に変更させる所定の操作をすることで、その時点から運針が継続されることとなり、時刻の表示ができなくなる不都合も防止でき、時計としての機能を確保することができる。
【００８９】
〔他の実施の形態〕
なお、本発明は第１の実施の形態および第２の実施の形態に限定されるものではなく、本発明の目的を達成できる範囲での変形、改良などは、本発明に含まれるものである。
すなわち、本発明の電波修正時計１００としては、上述したように、秒針を有しないものやカレンダ機能を有したものなどいずれの時計でもよい。さらに、電波修正時計１００としては、腕時計や懐中時計などの携帯時計、掛時計や置時計などの設置型時計など、様々な時計に適用できる。
そして、ボタン電池１１１にて駆動させて説明したが、太陽電池や体温を利用する構成など、駆動源としてはいずれの構成でもできる。なお、ゼンマイ式の場合、長波標準電波の受信のための起電力の不足が考えられるので、十分な電力が得られ、ウオッチとしても対応できる電池式のものが好ましい。
【００９０】
また、図７に示す動作や図８に示す動作を実行させる回路基板に搭載される図５および図６に示す各回路や手段は、各種論理素子などのハードウェアで構成されたものに限らず、ＣＰＵ（中央処理装置）、メモリ（記憶装置）などを備えたコンピュータを電波修正時計１００内に設け、このコンピュータに所定のプログラムやデータ（各記憶部に記憶されたデータ）を組み込んで各回路や手段を実現させるように構成したものでもよい。
例えば、電波修正時計１００内にＣＰＵやメモリを配置してコンピュータとして機能できるように構成し、このメモリに所定の制御プログラムやデータをインターネットなどの通信手段や、ＣＤ−ＲＯＭ、メモリカードなどの記録媒体を介してインストールし、このインストールされたプログラムでＣＰＵなどを動作させ、竜頭２１２の操作により適宜時刻を修正させればよい。
なお、電波修正時計１００に所定のプログラムなどをインストールするには、その電波修正時計１００にメモリカードやＣＤ−ＲＯＭなどを直接差し込んで実施したり、これらの記憶媒体を読み取る機器を外付けで電波修正時計１００に接続したりしてもよい。さらには、ＬＡＮケーブル、電話線などを電波修正時計１００に接続して通信によってプログラムなどを供給しインストールしてもよく、アンテナ１３０を備えていることから無線によってプログラムを供給してインストールするなどしてもよい。
【００９１】
このような記録媒体やインターネットなどの通信手段で提供される制御プログラムなどを電波修正時計１００に組み込めば、プログラムの変更のみで前記各発明の機能を実現できるため、工場出荷時あるいは利用者が希望する制御プログラムを選択して組み込むこともできる。この場合、プログラムの変更のみで制御形式の異なる各種の電波修正時計１００を製造できるため、部品の共通化などが図れ、バリエーション展開時の製造コストを大幅に低減できる。
【００９２】
電波修正時計１００としての機能、すなわち計時手段４７０、受信手段４５０、駆動伝達手段１４０、表示時刻修正手段２００などの各構成は、前記実施形態のものに限らず、従来から知られている電波修正時計の各手段が利用できる。すなわち、計時する時刻で運針させる輪列は、上記第１の実施の形態に限られない。また、竜頭２１２を２段階操作可能としたが、上述したように、例えばカレンダ機能を有するものでは３段階操作可能とするなど、３段階以上操作可能な構成についても適用できる。
また、上記第１の実施の形態では、受信対象局の数や具体的な国（地域）などは、実施にあたって適宜設定すればよい。
【００９３】
そして、時針１１７、分針１１８および秒針を有する電波修正時計１００として、秒針が所定の初期位置に対応する位置すなわち０時（１２時）を指す位置で竜頭２１２を引っ張る所定の入力操作で時刻修正を実施する構成としたが、秒針を有しない電波修正時計１００でも同様にできる。また、竜頭２１２の操作により秒針の指針位置も変更できる構成では、秒針も初期位置に合わせる操作をすればよい。さらには、カレンダ機構を有する構成では、このカレンダ機構にて表示されるカレンダの内容をもステップモータ１２０などにてタイムコードに基づいて修正させる構成としてもよい。
【００９４】
さらに、竜頭２１２を押し込んだ時点で初期値にリセットして説明したが、リセットするタイミングは、竜頭２１２が引っ張られた時としてもできる。
【００９５】
また、長波標準電波を受信する処理の際に運針を停止する構成について説明したが、運針させてもよい。この場合、分周回路４４４からの１Ｈｚの基準信号に基づいて針位置カウンタ４４６および現時刻カウンタ４４８Ａのカウンタ値もカウントアップさせて運針に対応させる。そして、この運針によりカウントアップされている針位置カウンタ４４６のカウント値が現時刻カウンタ４４８Ａのカウンタ値となるように早送りパルスをパルス制御回路４４５から出力させ、指針位置を現時刻に対応する指針位置に修正させるようにする。すなわち、一旦カウント値がリセットさせて指針位置とカウント値とを一致させていることから、運針させても正確に時刻修正ができる。
このように、初期化の設定後の運針させない場合には初期化の設定時のリセットされたカウント値と現時刻に対応するカウント値とが比較され、運針させる場合にはリセットの後に指針の運針に連動してカウンタアップするカウント値と現時刻に対応するカウント値とを比較すればよい。
【００９６】
その他、本発明の実施の際の具体的な構造および手順は、本発明の目的を達成できる範囲で他の構造などに適宜変更できる。
【００９７】
【発明の効果】
以上説明したように、本発明の電波修正時計およびその制御方法によれば、表示時刻を変更するためなどに操作する一般的に利用される竜頭の所定の入力操作時に、初期状態に対応する初期値を設定するため、特別な構成を設けることなく容易に表示時刻を初期値に対応する初期状態として認識させて、表示時刻を標準電波に基づく現時刻に修正することができ、製造作業性の向上や生産性の向上およびコストの低減が容易に図れるとともに、表示時刻を変更するためなどの操作で容易に初期状態が設定され、操作性を向上できる。
【図面の簡単な説明】
【図１】本発明の第１の実施の形態における電波修正時計の巻真が押し込まれた状態を示す一部を切り欠いた平面図である。
【図２】図１の部分拡大図である。
【図３】電波修正時計の巻真が引き出された状態を示す一部を切り欠いた平面図である。
【図４】図３の部分拡大図である。
【図５】電波修正時計の内部構成を示すブロック図である。
【図６】制御回路の詳細な内部構成を示すブロック図である。
【図７】電波修正時計の時刻修正の動作を示すフローチャートである。
【図８】本発明の第２の実施の形態における電波修正時計の時刻修正の動作を示すフローチャートである。
【符号の説明】
１００…電波修正時計、１１７…指針である時針、１１８…指針である分針、１２０…駆動手段としてのステップモータ、２１２…竜頭、４４２…受信制御手段としての受信制御回路、４４３Ａ…基準信号源、４４６…記憶手段としての針位置カウンタ、４４７…設定手段としての針位置データ初期化回路、４４８…比較手段ととしての時刻データ比較回路、４５０…受信手段、４６０…入力操作認識手段、４７０…計時手段、４８０…時刻修正手段
【図１】
2004257977.tif 000003
【図２】
2004257977.tif 000004
【図３】
2004257977.tif 000005
【図４】
2004257977.tif 000006
【図５】
2004257977.tif 000007
【図６】
2004257977.tif 000008
【図７】
2004257977.tif 000009
【図８】
2004257977.tif 000010